(57)【要約】【課題】  従来リモコンの操作性の良さを失うことなく、機能の異なる複数の機種に対応することができるふろ給湯機のリモコンを提供することを目的とする。【解決手段】  ふろ給湯機の動作を命令する入力操作の応答を音で報知する機能又は視覚的に認知させるための表示機能を有するふろ給湯機のリモコンにおいて、浴槽に自動的にお湯はりをする機能、および沸き増し機能の異なるふろ給湯機の機種に対応して報知内容又は表示内容を選択するリモコン制御部３ａを備えている。【選択図】  図５
2006292320.tif 000002
【特許請求の範囲】
【請求項１】
ふろ給湯機の動作を指令する入力操作の応答を音で報知する報知機能又は視覚的に認知させるための表示機能を有するふろ給湯機のリモコンにおいて、機能の異なるふろ給湯機の機種に対応して報知内容又は表示内容を自動的に選択するリモコン制御部を備えたことを特徴とする特徴とするふろ給湯機のリモコン。
【請求項２】
前記リモコン制御部は、前記ふろ給湯機の機種が昼間わき増し機能として上部わき増し機能なのか、深夜のみわき増し機能の何れであるかを自動的に判別して、その機種に対応した報知内容又は表示内容を自動的に選択することを特徴とする請求項１記載のふろ給湯機のリモコン。
【請求項３】
前記リモコン制御部は、前記ふろ給湯機の機種が昼間わき増し機能が有るか無いかの何れであるかを自動的に判別して、その機種に対応した報知内容又は表示内容を自動的に選択することを特徴とする請求項１記載のふろ給湯機のリモコン。
【請求項４】
前記リモコン制御部は、前記ふろ給湯機の機種が自動ふろ給湯機能が有るか無いかの何れであるかを自動的に判別して、その機種に対応した報知内容又は表示内容を自動的選択することを特徴とする請求項１記載のふろ給湯機のリモコン。
【請求項５】
ふろ給湯機の動作を指令する操作ボタンを備え、前記リモコン制御部は、前記操作ボタンによる指令があると、既に判別された給湯機の機種に対応した制御動作を行わせることを特徴とする請求項１〜４のいずれかに記載のふろ給湯機のリモコン。
【請求項６】
前記リモコン制御部は、前記操作ボタンによる指令があると、既に判別された給湯機の機種に対応して音声若しくは電子音の内容又は表示内容を選択することを特徴とする請求項５記載のふろ給湯機のリモコン。
【発明の詳細な説明】
【技術分野】
【０００１】
本発明はふろ給湯機のリモコンに関し、特に機種によって機能が異なる複数の機種に対応可能なふろ給湯機のリモコンに関する。
【背景技術】
【０００２】
従来、接続された給湯器から送信される給湯器の識別情報を受信して、その機種情報と予め、リモコン装置に記憶された機種データと照合して、リモコン装置と給湯器との組合せが適正であるか否かを判断し、接続された給湯器が当該リモコン装置に対応していない場合は、その旨を表示器に表示するものがある（例えば、特許文献１参照）。
【０００３】
【特許文献１】特開２０００−３２４５６１号公報（第４-５頁、図３−図４）
【発明の開示】
【発明が解決しようとする課題】
【０００４】
従来は、浴槽に自動的にお湯はりをする機能を持った機種と持っていない機種や、温水器の湯量が不足した際に昼間の電力を使用してお湯をわき増す昼間わき増し機能（上部わき増し、深夜のみわき増し）に対して入力操作に応じた音声、電子音等による報知内容や、視覚的に認知させるための表示内容や、スイッチ名称等に相違があるため、一方の機種にしか対応することができない１対１の専用リモコンを別々に生産していた。
このため、機種数が増加してしまうことによって、生産効率や物流効率およびサービス効率が悪化し、更には、購入の際に、ふろ給湯機とリモコンの組み合わせ選定の煩わしさが生じてしまい、発注時や据付時に、給湯機とリモコンとの機種違いが発生してしまうという問題点があった。
特許文献１の給湯器のリモコン装置は、上述した従来の問題点を解消するために提案されたものである。しかしながら、上記特許文献１に示された給湯器のリモコン装置は、接続されている給湯器の機種を自動判別して、未対応の機種が接続された場合に、その旨を報知することにより、未対応の機種が誤って接続されるのを防止したり、誤操作を抑制したりするだけで、リモコン装置を交換するまでの間の応急使用ができるだけであって、実使用にあたっては、複数の機種に対応できるようにはなっていなく、上記従来の問題点をすべて解消するには至っていない。
【０００５】
本発明は、上記従来の課題をすべて解決するためになされたものであり、従来リモコンの操作性の良さを失うことなく、機能の異なる複数の機種に対応することができるふろ給湯機のリモコンを提供することを目的とする。
【課題を解決するための手段】
【０００６】
本発明に係るふろ給湯機のリモコンは、ふろ給湯機の動作を命令する入力操作の応答を音で報知する機能又は視覚的に認知させるための表示機能を有するふろ給湯機のリモコンにおいて、機能の異なる複数の機種に対応して報知内容又は表示内容を選択する制御手段を備えたものである。
【発明の効果】
【０００７】
本発明のふろ給湯機のリモコンは、多機種に対応することができる共通リモコンとなるため、１機種のみの生産となり、生産効率や物流効率およびサービス効率を改善することが可能であり、発注時や据付時の給湯機とリモコンとの機種違いも発生しなくなる。また、機種独自の音声、電子音等による報知機能又は視覚的に認知させるための独自の表示機能を無理に統一しなくてもよいため、従来のリモコンの操作性の良さを失うことのない、ふろ給湯機のリモコンを提供することができる。
【発明を実施するための最良の形態】
【０００８】
実施の形態１．
図１は本発明の実施の形態１を示すふろ給湯機とリモコンの制御ブロック図である。
図１において、ふろ給湯機本体１には、通常、浴室内の壁面に設置され、設定温度、設定湯量等の設定値の変更やふろ給湯機能等の動作及び停止を命令する浴室リモコン２と、通常、台所や居間等の壁面に設置され、ふろ給湯機能等の動作および停止を命令するメインリモコン３とが接続されている。
【０００９】
前記ふろ給湯機本体１は、電源部１ｂ、浴室リモコン２及びメインリモコン３との通信信号の変換をおこなう通信回路１ｃ、浴室リモコン２およびメインリモコン３との通信信号の解析及び送受信を行う制御部１ｄを備えている。
前記浴室リモコン２は、浴室リモコン制御部２ａ、電源部２ｂ、前記ふろ給湯機本体１との通信信号の変換をおこなう通信回路２ｃ、表示器２ｄ、わき増し機能を動作又は停止させるわき増しスイッチ２ｅ、音声変換部２ｆ、アンプ２ｇ、スピーカー２ｈ等を備えている。
前記浴室リモコン制御部２ａは、前記表示器２ｄへの出力命令や、音声変換部２ｆへの音声フレーズの発声および停止命令を行い、わき増し機能を動作又は停止させるスイッチ２ｅからの押下信号を解析し、昼間のわき増し機能が動作状態か、あるいは停止状態かを判断する。
【００１０】
前記メインリモコン３は、メインリモコン制御部３ａ、電源部３ｂ、ふろ給湯機本体１との通信信号の変換をおこなう通信回路３ｃ、表示器３ｄ、、わき増し機能を動作又は停止させるわき増しスイッチ３ｅ、音声変換部３ｆ、アンプ３ｇ、スピーカー３ｈ等を備えている。
前記メインリモコン制御部３ｄは、表示器３ｄへの出力命令や、音声変換部３ｆへの音声フレーズの発声および停止命令を行い、わき増し機能を動作又は停止させるスイッチ３ｅからの押下信号を解析し、わき増し機能が動作状態か、あるいは停止状態かを判断する。
【００１１】
ここで、前記メインリモコン３には、ふろ給湯機本体１のリモコン操作に加え、床暖房機、浴室乾燥機、エアコン、照明機器等が複数接続（図示せず）されて、これらの住宅設備機器の統合操作も行えるホームネットワークリモコンも含まれる。
また、前記メインリモコン３には、インターネット接続が可能な端子（図示せず）が設けられ、これを利用したＷＥＢ機能やメール機能などの操作も行えるインターネットリモコンも含まれる。
【００１２】
また、前記ふろ給湯機本体１は給湯機本体制御部１ｄを備えており、ここでは、タンク内の上部半分のお湯をわき増す昼間わき増し機能としての上部わき上げ機能を有する機種と、昼間のわき上げを一切停止させる深夜のみわき上げ機能を有する機種の２機種が存在して、その何れかが取り付けられるものとする。
【００１３】
図２は実施の形態１のメインリモコン３の表示器３ｄの画面表示図である。
前記メインリモコン３に備えられたわき増し機能（上部わき増し、深夜のみわき増し、満タンわき増しの何れか２つの）のわき増しスイッチ３ｅは、通常、表示器３ｄの上に配置されたタッチパネルと表示器３ｄに描画されているボタンデザインにより構成されている。
図２の表示状態は、わき増し機能が停止している状態の表示で、図２の（ａ）はタンク内の上部半分のお湯をわき増す昼間わき増し機能としての上部わき上げ機能を有する機種の場合で、図２の（ｂ）は昼間のわき上げを一切停止させる深夜のみわき上げ機能を有する機種の場合を示している。
【００１４】
図３はメインリモコン３が昼間わき増し機能としての上部わき増し機能を有する機種に接続されたときの表示器３ｄの表示状態を示す画面図である。
前記メインリモコン３の表示器３ｄは、昼間のわき増し機能である上部わき増しが動作している際に表示する、例えば、“上部わき増し 入  切  ”と表現された文字の表示部４ａから構成される。
図３の表示状態は、上部わき増し機能は動作している状態の表示となっている。
【００１５】
図４は図２のメインリモコン３が深夜のみわき増し機能を有する機種に接続されたときの表示器３ｄの画面図である。
前記メインリモコン３の表示器３ｄは、深夜のみわき増しが動作している際に表示する例えば、“深夜のみわき増し  入  切”と表現された文字の表示部４ｂから構成される。
図４の表示器３ｄの表示状態は、深夜のみわき増し機能は動作している状態の表示となっている。
【００１６】
図５はこの実施の形態１に係るふろ給湯機の制御処理の流れを示したフローチャートであり、このフローチャート及び図１〜図４を用いて、その制御動作の詳細を説明する。
ステップＳ１では、ふろ給湯機本体１の給湯機本体制御部１ｄにて、昼間わき増し機能として上部わき増し機能を有するか深夜のみわき増し機能を有する機種であるかを識別させる通信信号を通信回路１ｃへ出力し、メインリモコン３の通信回路３ｃからの信号をメインリモコン制御部３ａにて受信することにより、メインリモコン３がふろ給湯機本体１が昼間わき増し機能として上部わき増し機能を有するか深夜のみわき増し機能を有する機種であるかを判別する。
そして、ふろ給湯機本体１から受信した通信信号が上部わき増し機能を有する機種と判別した場合は、ステップＳ２へ、ふろ給湯機本体１から受信した通信信号が深夜のみわき増し機能を有する機種と判別した場合はステップＳ３へ分岐する。
【００１７】
ステップＳ２では、メインリモコン３がふろ給湯機本体１が上部わき増し機能を有する機種に接続されていることを確定する。例えば、メインリモコン制御部３ａに内蔵されているメモリにフラグ（上部わき増し機種）をセットする。
ステップＳ３では、メインリモコン３がふろ給湯機本体１が深夜のみわき増し機能を有する機種に接続されていることを確定する。例えば、メインリモコン制御部３ａに内蔵されているメモリにフラグ（深夜のみわき増し）をセットする。
【００１８】
ステップＳ４では、上記のステップＳ２，Ｓ３にて確定した昼間わき増し機能として上部わき増し機能を有する機種か、それとも深夜のみわき増し機能を有する機種であるかを判別している。上部わき増し機能を有する機種の場合はステップＳ５へ、深夜のみわき増し機能を有する機種の場合はステップＳ６へ分岐する。
【００１９】
ステップＳ５では、上部わき増しスイッチ３ｅが所定時間以上押下されたかどうかを判別している。所定時間以上押下された場合にはステップＳ７へ分岐し、所定時間以上押下されていない場合にはステップＳ５へ戻り、上部わき増しスイッチ３ｅが所定時間以上押下される状態まで待機する。
ステップＳ６では，深夜のみわき増しスイッチ３ｅが所定時間以上押下されたかどうかを判別している。所定時間以上押下された場合にはステップＳ８へ分岐し、所定時間以上押下されていない場合にはステップＳ６へ戻り、深夜のみわき増しスイッチ３ｅが所定時間以上押下される状態まで待機する。
【００２０】
ステップＳ７では、ふろ給湯機本体１が上部わき増し機能を有する機種であるため、メインリモコン制御部３ａから通信回路３ｃへ上部わき増し機能の動作開始の通信信号を出力し、ふろ給湯機本体１の給湯機本体制御部１ｄは通信回路１ｃを介してその信号を受信することにより、上部わき増し機能の動作を開始させる。
また、メインリモコン制御部３ａから表示器３ｄに上部わき増し機能の動作開始の表示が出力される（図３参照）。
また、メインリモコン制御部３ａから音声変換部３ｆに上部わき増し機能の動作を開始させる音声フレーズの発声命令が出力され、アンプ３ｇを経由してスピーカー３ｈから、例えば、「設定されました」と発声し、上部わき増し機能が動作し始めたことを音声によって操作者に認知させる。その後、ステップＳ９に移行する。
【００２１】
ステップＳ８では、ふろ給湯機本体１が深夜のみわき増し機能を有する機種であるため、メインリモコン制御部３ａから通信回路３ｃへ深夜のみわき増し機能の動作開始の通信信号を出力し、ふろ給湯機本体１の給湯機本体制御部１ｄは通信回路１ｃを介してその信号を受信することにより、深夜のみわき増し機能の動作を開始させる。
また、メインリモコン制御部３ａから表示器３ｄに深夜のみわき増し機能の動作開始の表示が出力される（図４参照）。
また、メインリモコン制御部３ａから音声変換部３ｆに深夜のみわき増し機能の動作を開始させる音声フレーズの発声命令が出力され、アンプ３ｇを経由してスピーカー３ｈから、例えば、「設定されました」と発声し、上部わき増し機能が動作し始めたことを音声によって操作者に認知させる。その後、ステップＳ９に移行する。
【００２２】
ステップＳ９では、上記のステップＳ２，Ｓ３で確定した昼間わき増し機能として上部わき増し機能を有する機種か、それとも深夜のみわき増し機能を有する機種であるかを再度判別している。上部わき増し機能を有する機種の場合はステップＳ１０へ、深夜のみわき増し機能を有する機種の場合はステップＳ１１へ分岐する。
【００２３】
ステップＳ１０では、上部わき増しスイッチ３ｅが所定時間以上押下されたかどうかを判別している。所定時間以上押下された場合にはステップＳ１２へ移行し、所定時間以上押下されていない場合にはステップＳ１０へ戻り、上部わき増しスイッチ３ｅが所定時間以上押下される状態まで待機する。
ステップＳ１１では深夜のみわき増しスイッチ３ｅが所定時間以上押下されたかどうかを判別している。所定時間以上押下された場合にはステップＳ１３へ移行し、所定時間以上押下されていない場合にはステップＳ１１へ戻り、深夜のみわき増しスイッチ３ｅが所定時間以上押下される状態まで待機する。
【００２４】
ステップＳ１２では、ふろ給湯機本体１が上部わき増し機能を有する機種であるため、メインリモコン制御部３ａから通信回路３ｃへ上部わき増し機能の動作停止の通信信号を出力し、ふろ給湯機本体１の給湯機本体制御部１ｄは通信回路１ｃを介してその受信することにより、上部わき増し機能の動作を停止させる。
また、メインリモコン制御部３ａから表示器３ｄに上部わき増し機能の動作停止の表示が出力される（図２（ａ）参照）。
また、メインリモコン制御部３ａから音声変換部３ｆに上部わき増し機能の動作を停止させる音声フレーズの発声命令が出力され、アンプ３ｇを経由してスピーカー３ｈから、例えば「解除されました」と発声し、上部わき増し機能が停止したことを音声によって操作者に認知させる。
【００２５】
ステップＳ１３では、ふろ給湯機本体１が深夜のみわき増し機能を有する機種であるため、メインリモコン制御部３ａから通信回路３ｃへ深夜のみわき増し機能の動作停止の通信信号を出力し、ふろ給湯機本体１の給湯機本体制御部１ｄは通信回路１ｃを介してその受信することにより、深夜のみわき増し機能の動作を停止させる。
また、メインリモコン制御部３ａから表示器３ｄに深夜のみわき増し機能の動作停止の表示が出力される（図２（ｂ）参照）。
また、メインリモコン制御部３ａから音声変換回路３ｆに深夜のみわき増し機能の動作を停止させる音声フレーズの発声命令が出力され、アンプ３ｇを経由してスピーカー３ｈから、例えば「解除されました」と発声し、深夜のみわき増し機能が停止したことを音声によって操作者に認知させる。
【００２６】
上記のように、この実施の形態１においては、昼間のわき増し機能を有する有さない異なるふろ給湯機本体１に対して、何れの機種が接続されても、接続された機種の機能を自動的に認識しているので、例えば、切り替えスイッチによる切り替え操作等が不要になっており、使い勝手がよいものとなっている。
また、その接続された機種に対応して音声、電子音等による報知内容や、視覚的に認知させるための表示内容を選択するようにしたので、従来の機種に対応した専用のリモコンの操作性の良さを失うことがない。
また、操作者が昼間のわき増しスイッチ３ｅの操作をするだけで、その機種に対応した制御動作が自動的になされることから、操作者にとって使い勝手のよいものとなっている。
【００２７】
なお、この実施の形態１では、メインリモコン３に配置したわき増しスイッチ３ｅを例について説明したが、浴室リモコン２に配置したわき増しスイチ２ｅでも同様であり、その場合にも同様な効果が得られる。
また、図５のフローチャートについても、本発明はその制御方法に限定されるものではなく、適宜変更してもよいことはいうまでもない。
例えば、機種に応じた制御プログラムをそれぞれ用意しておいて、１度機種が確定すると、該当する制御プログラムを実行するようにしてもよい。
また、浴室リモコン２及びメインリモコン３が有線を介してふろ給湯機本体１と接続された場合ついて説明したが、無線により信号を授受するようにしてもよい。
実施の形態２．
【００２８】
次に、本発明の実施の形態２について説明する。
この実施の形態２においても、ふろ給湯機本体１、浴室リモコン２、及びメインリモコン３の各部の構成及び接続構成は図２に示した制御ブロック図とまったく同様なので、説明を省略する。
図６は本発明の実施の形態２を示すもので、メインリモコン３が昼間のわき増し機能である上部わき増し機能を有さない機種に接続され、所定時間以上上部わき増しスイッチ３ｅを押下したときの表示器３ｄの画面表示図である。
上部わき増し機能が使用できない内容が文章で記載されているポップアップウインドウ３ｉが表示され、操作者に注意喚起を促している。深夜のみわき増し機能を有さない機種に接続されたときも、同等な表示となることはいうまでもない。
【００２９】
図７は本発明の実施の形態２の別の例を示すもので、メインリモコン３が昼間のわき増し機能である上部わき増し機能を有さない機種に接続されたときの表示器３ｄの画面表示図である。
昼間わき増し機能を有さない機種が接続されたときは、表示される昼間のわき増しスイッチ３ｅが全て表示されない。
【００３０】
次に、本発明の実施の形態２について、図８のフローチャートを中心にその制御の詳細を説明する。
ステップＳ２１においては、ふろ給湯機本体１の給湯機本体制御部１ｄにて、昼間のわき増し機能を有するか有さない機種であるかを識別させる通信信号を通信回路１ｃへ出力し、メインリモコン３の通信回路３ｃからの信号をメインリモコン３のメインリモコン制御部３ａにて受信することにより、メインリモコン３がふろ給湯機本体１が昼間のわき増し機能を有する機種か、有さない機種であるかを判別する。そして、ふろ給湯機本体１から受信した通信信号が昼間のわき増し機能を有する機種の場合はステップＳ２２へ、ふろ給湯機本体１から受信した通信信号が昼間のわき増し機能を有さない機種の場合はステップＳ２３へ分岐する。
【００３１】
ステップＳ２２では、メインリモコン３がふろ給湯機本体１の昼間のわき増し機能を有する機種に接続されていることを確定する。例えば、メインリモコン制御部３ａに内蔵されているメモリにフラグ（昼間のわき増し機種）をセットする。
ステップＳ２３では、メインリモコン３がふろ給湯機本体１が昼間のわき増し機能を有する機種に接続されていることを確定する。例えば、メインリモコン制御部３ａに内蔵されているメモリにフラグ（昼間のわき増し機種以外）をセットする。
【００３２】
そして、ステップＳ２４では、昼間のわき増しスイッチ３ｅが所定時間以上押下されたかどうかを判別している。所定時間以上押下された場合にはステップＳ２５へ移行し、所定時間以上押下されていない場合にはステップＳ２４へ戻り、昼間のわき増しスイッチ３ｅが所定時間以上押下される状態まで待機する。
【００３３】
ステップＳ２５では、上記ステップＳ２２，Ｓ２３にて確定した昼間のわき増し機能を有するか有さない機種であるかを再度判別している。昼間のわき増し機能を有する機種の場合はステップＳ２６へ、昼間のわき増し機能を有さない機種の場合はステップＳ２７へ分岐する。
【００３４】
ステップＳ２６では、ふろ給湯機本体１が昼間のわき増し機能を有する機種であるため、メインリモコン制御部３ａから通信回路３ｃへ昼間のわき増し機能の動作開始の通信信号を出力し、ふろ給湯機本体１の本体制御部１ｄは通信回路１ｃを介してその信号を受信することにより、昼間のわき増し機能の動作を開始させる。
また、メインリモコン制御部３ａから表示器３ｄに昼間のわき増し機能の動作開始の表示が出力される（図３，図４参照）。
また、メインリモコン制御部３ａから音声変換部３ｆに昼間のわき増し機能の動作を開始させる音声フレーズの発声命令が出力され、アンプ３ｇを経由してスピーカー３ｈから、例えば、「設定されました。」と発声し、昼間のわき増し機能が動作し始めたことを音声によって操作者に認知させる。その後、ステップＳ２８に移行する。
【００３５】
ステップＳ７では、ふろ給湯機本体１が昼間のわき増し機能を有さない機種であるため、メインリモコン制御部３ａから通信回路３ｃへ昼間のわき増し機能の動作開始の通信信号を出力しない。
また、メインリモコン制御部３ａから表示器３ｄに昼間のわき増し機能の動作禁止の表示が出力される（図６参照）。
また、メインリモコン制御部３ａから音声変換部３ｆに昼間のわき増し機能の動作を禁止する音声フレーズの発声命令が出力され、アンプ３ｇを経由してスピーカー３ｈから、例えば「設定できません」と発声し、音声によって機能が禁止されていることを操作者に認知させる。その後、ステップＳ２８に移行する。
【００３６】
ステップＳ２８では、昼間のわき増しスイッチ３ｅが所定時間以上押下されたかどうかを判別している。所定時間以上押下された場合にはステップＳ２９へ移行し、所定時間以上押下されていない場合にはステップＳ２８へ戻り、昼間のわき増しスイッチ３ｅが所定時間以上押下される状態まで待機する。
【００３７】
ステップＳ２９では、上記のステップＳ２２，Ｓ２３にて確定した昼間のわき増し機能を有するか有さない機種かを再度判別している。昼間のわき増し機能を有する機種の場合はステップＳ３０へ、昼間のわき増し機能を有さない機種の場合はステップＳ３１へ分岐する。
【００３８】
ステップＳ３０では、ふろ給湯機本体１が昼間のわき増し機能を有する機種であるため、メインリモコン制御部３ａから通信回路３ｃへ昼間のわき増し機能の動作停止の通信信号を出力し、ふろ給湯機本体１の本体制御部１ｄは通信回路１ｃを介してその受信することにより、昼間のわき増し機能の動作を停止させる。
また、メインリモコン制御部３ａから表示器３ｄに昼間のわき増し機能の動作停止の表示が出力される（図２（ａ）参照）。
また、メインリモコン制御部３ａから音声変換部３ｆに昼間のわき増し機能の動作を停止させる音声フレーズの発声命令が出力され、アンプ３ｇを経由してスピーカー３ｈから、例えば「解除されました。」と発声し、昼間のわき増し機能が停止したことを音声によって操作者に認知させる。
【００３９】
ステップＳ３１では、ステップＳ２７と同様の制御をおこなう。
【００４０】
上記のように、この実施の形態２においても、昼間のわき増し機能を有するか有さない異なるふろ給湯機本体１に対して、何れの機種が接続されても、接続された機種の機能を自動的に認識しているので、例えば、切り替えスイッチによる切り替え操作等が不要になっており、使い勝手がよいものとなっている。
また、その接続された機種に対応して音声、電子音等による報知内容や、視覚的に認知させるための表示内容を選択するようにしたので、従来の機種に対応した専用のリモコンの操作性の良さを失うことがない。
また、操作者がわき増しスイッチ３ｅの操作をするだけで、その機種に対応した制御動作が自動的になされることから、操作者にとって使い勝手のよいものとなっている。
【００４１】
実施の形態３．
次に、本発明の実施の形態３について説明する。
この実施の形態３においても、ふろ給湯機本体１、浴室リモコン２、及びメインリモコン３の各部の構成及び接続構成は図２に示した制御ブロック図とまったく同様なので、説明を省略する。
図９は本発明の実施の形態３のメインリモコン３の表示器３ｄの画面表示図である。
【００４２】
メインリモコン３は、ふろ自動スイッチ３ｊを備えている。メインリモコン３の表示器３ｄは、ふろ湯はり機能が動作している際に表示する、例えば“ふろ湯はり入  切”と表現された文字の表示部４ｃから構成される。
図９の表示器３ｄの表示状態は、自動ふろ給湯機能を停止している状態（切状態）の表示である。
【００４３】
図１０はメインリモコン３が自動ふろ給湯機能を有する機種に接続され、ふろ自動スイッチ３ｊを押下したときの表示器３ｄの画面表示図である。
図１０の状態は、自動ふろ給湯機能が動作している状態（入状態）である。
【００４４】
図１１はメインリモコン３が自動ふろ給湯機能を有さない機種に接続され、ふろ自動スイッチ３ｊを押下したときの表示器３ｄの画面表示図である。
図１１の状態は、自動ふろ給湯機能が使用できない内容が文章で記載されているポップアップウインドウ３ｉが表示され、注意喚起を促している状態である。
【００４５】
図１２はメインリモコン３が自動ふろ給湯機能を有さない機種に接続されたときの表示器３ｄの別の例を示した画面表示図であり、自動ふろ給湯機能を有さない機種のときは、表示されるふろ自動スイッチ３ｊが表示されていない。
【００４６】
図１３はこの実施の形態３おけるふろ給湯機の制御処理の流れを示したフローチャートであり、このフローチャートを中心にその制御動作の詳細を説明する。
ステップＳ４１では、ふろ給湯機本体１の給湯機本体制御部１ｄにて、自動ふろ給湯機能を有するか有さない機種であるかを識別させる通信信号を通信回路１ｃへ出力し、メインリモコン３の通信回路３ｃからの信号をメインリモコン制御部３ａにて受信することにより、メインリモコン３がふろ給湯機本体１が自動ふろ給湯機能を有するか有さない機種であるかを判別する。ふろ給湯機本体１から受信した通信信号が自動ふろ給湯機能を有する機種の場合はステップＳ４２へ、ふろ給湯機本体１から受信した通信信号が自動ふろ給湯機能を有さない機種の場合はステップＳ４３へ分岐する。
【００４７】
ステップＳ４２では、メインリモコン３がふろ給湯機本体１が自動ふろ給湯機能を有する機種に接続されていることを確定する。
例えば、メインリモコン制御部３ａに内蔵されているメモリにフラグ（自動ふろ給湯機種）をセットする。ステップＳ４３では、メインリモコン３がふろ給湯機本体１が自動ふろ給湯機能を有さない機種に接続されていることを確定する。
例えば、メインリモコン制御部３ａに内蔵されているメモリにフラグ（自動ふろ給湯機種以外）をセットする。
【００４８】
そして、ステップＳ４４では、ふろ自動スイッチ３ｊが押下されたかどうかを判別している。ふろ自動スイッチ３ｊが押下された場合にはステップＳ４５へ移行し、押下されていない場合にはステップＳ４４へ戻り、ふろ自動スイッチ３ｊが押下される状態まで待機する。
【００４９】
ステップＳ４５では、上記ステップＳ４２，Ｓ４３にて確定した自動ふろ給湯機能を有するか有さない機種であるかを判別している。自動ふろ給湯機能を有する機種の場合はステップＳ４６へ、自動ふろ給湯機能を有さない機種の場合はステップＳ４７へ分岐する。
【００５０】
ステップＳ４６では、ふろ給湯機本体１が自動ふろ給湯機能を有するであるため、メインリモコン制御部３ａから通信回路３ｃへ自動ふろ給湯機能の動作開始の通信信号を出力し、ふろ給湯機本体１の給湯機本体制御部１ｄは通信回路１ｃを介してその信号を受信することにより、自動ふろ給湯機能の動作を開始させる。
また、メインリモコン制御部３ａから表示器３ｄに自動ふろ給湯機能の動作開始の表示が出力される（図１０参照）。
また、メインリモコン制御部３ａから音声変換部３ｆに自動ふろ給湯機能の動作を開始させる音声フレーズの発声命令が出力され、アンプ３ｇを経由してスピーカー３ｈから、例えば、「お湯はりをします。」と発声し、自動ふろ給湯機能が動作し始めたことを音声によって操作者に認知させる。その後、ステップＳ４８に移行する。
【００５１】
ステップＳ４７では、ふろ給湯機本体１が自動ふろ給湯機能を有さない機種であるため、メインリモコン制御部３ａから通信回路３ｃへ自動ふろ給湯機能の動作開始の通信信号を出力しない。また、メインリモコン制御部３ａから表示器３ｄに自動ふろ給湯機能の動作禁止の表示が出力される（図１１参照）。
また、メインリモコン制御部３ａから音声変換部３ｆに自動ふろ給湯機能の動作を禁止する音声フレーズの発声命令が出力され、アンプ３ｇを経由してスピーカー３ｈから、例えば、「設定できません」と発声し、音声によって機能が禁止されていることを操作者に認知させる。その後、ステップＳ４８に移行する。
【００５２】
ステップＳ４８では、ふろ自動スイッチ３ｊが再度押下されたかどうかを判別している。ふろ自動スイッチ３ｊが再度押下された場合にはステップＳ４９へ移行し、ふろ自動スイッチ３ｊが押下されていない場合にはステップＳ４８へ戻り、ふろ自動スイッチ３ｊが押下される状態まで待機する。
【００５３】
ステップＳ４９では、上記のステップＳ４２，Ｓ４３にて確定した自動ふろ給湯機能を有するか有さない機種かを再度判別している。自動ふろ給湯機能を有する機種の場合はステップＳ５０へ、自動ふろ給湯機能を有さない機種の場合はステップＳ５１へ分岐する。
【００５４】
ステップＳ５０では、ふろ給湯機本体１が自動ふろ給湯機能を有する機種であるため、メインリモコン制御部３ａから通信回路３ｃへ自動ふろ給湯機能の動作停止の通信信号を出力し、ふろ給湯機本体１の給湯機本体制御部１ｄは通信回路１ｃを介してその受信することにより、自動ふろ給湯機能の動作を停止させる。
また、メインリモコン制御部３ａから表示器３ｄに自動ふろ給湯機能の動作停止の表示が出力される（図９参照）。
また、メインリモコン制御部３ａから音声変換部３ｆに自動ふろ給湯機能の動作を停止させる音声フレーズの発声命令が出力され、アンプ３ｇを経由してスピーカー３ｈから、例えば、「お湯はりを中止します」と発声し、自動ふろ給湯機能が停止したことを音声によって操作者に認知させる。
【００５５】
ステップＳ５１では、ステップＳ４７と同様の制御をおこなう。
【００５６】
上記のように、この実施の形態３においても、自動ふろ給湯機能を有するか有さない異なるふろ給湯機本体１に対して、何れの機種が接続されても、接続された機種の機能を自動的に認識しているので、例えば、切り替えスイッチによる切り替え操作等が不要になっており、使い勝手がよいものとなっている。
また、その接続された機種に対応して音声、電子音等による報知内容や、視覚的に認知させるための表示内容を選択するようにしたので、従来の機種に対応した専用のリモコンの操作性の良さを失うことがない。
また、操作者がふろ自動スイッチ３ｊの操作をするだけで、その機種に対応した制御動作が自動的になされることから、操作者にとって使い勝手のよいものとなっている。
【００５７】
また、この実施の形態３では、自動ふろ給湯機能を有さない機種にメインリモコン３が接続されたときの表示器２ｄにおいて、ふろ自動スイッチ３ｊを表示しているが、あえてスイッチ自体を表示させないこともできる（図１２参照）。
また、例えば、ふろ自動スイッチは表示しているが、スイッチのデザインをグレーアウトとしスイッチ自体が押せない状態であることを認知させることもできる（図示せず）。
【図面の簡単な説明】
【００５８】
【図１】本発明の実施の形態１を示すふろ給湯機とメインリモコンと浴室リモコンの制御ブロック図である。
【図２】本発明の実施の形態１のメインリモコンの表示器の画面表示図で、（ａ）は上部わき上げ機能を有する機種の場合で、（ｂ）は深夜のみわき上げ機能を有する機種の場合を示している。
【図３】本発明の実施の形態１のメインリモコンが上部わき増し機能を有する機種に接続されたときの表示器の画面表示図である。
【図４】本発明の実施の形態１のメインリモコンが深夜のみわき増し機能を有する機種に接続されたときの表示器の画面表示図である。
【図５】上記の実施の形態１におけるふろ給湯機の制御処理の流れを示したフローチャートである。
【図６】本発明の実施の形態２を示すメインリモコンが昼間わき増し機能を有さない機種に接続され、昼間わき増しスイッチが押下されたときの表示器の画面表示図である。
【図７】本発明の実施の形態２を示すメインリモコンが昼間わき増し機能を有さない機種に接続されたときの別の例を示す表示器の画面表示図である。
【図８】上記の実施の形態２におけるふろ給湯機の制御処理の流れを示したフローチャートである。
【図９】本発明の実施の形態３を示すメインリモコンの表示器の画面表示図である。
【図１０】本発明の実施の形態３を示すメインリモコンが自動ふろ給湯機能を有する機種に接続され、自動ふろ給湯が動作しているときの表示器の画面表示図である。
【図１１】本発明の実施の形態３を示すメインリモコンが自動ふろ給湯機能を有さない機種に接続され、ふろ自動スイッチが押下されたときの表示器の概略図である
【図１２】本発明の実施の形態３のメインリモコンが自動ふろ給湯機能を有さない機種に接続されたときの別の例を示す表示器の画面表示図である。
【図１３】上記の実施の形態３におけるふろ給湯機の制御処理の流れを示したフローチャートである。
【符号の説明】
【００５９】
１  ふろ給湯機本体、１ｂ  電源部、１ｃ  通信回路、１ｄ  給湯器本体制御部、２  浴室リモコン、２ａ  浴室リモコン制御部、２ｂ  電源部、２ｃ  通信回路、２ｄ  表示器、２ｅ  スイッチ、２ｆ  音声変換部、２ｇ  アンプ、２ｈ  スピーカー、３  メインリモコン、３ａ  メインリモコン制御部、３ｂ  電源部、３ｃ  通信回路、３ｄ  表示器、３ｅ  スイッチ、３ｆ  音声変換部、３ｇ  アンプ、３ｈ  スピーカー、３ｉ  ポップアップウインドウ、３ｊ  ふろ自動スイッチ、４ａ，４ｂ，４ｃ  表示部。
【図１】
2006292320.tif 000003
【図２】
2006292320.tif 000004
【図３】
2006292320.tif 000005
【図４】
2006292320.tif 000006
【図５】
2006292320.tif 000007
【図６】
2006292320.tif 000008
【図７】
2006292320.tif 000009
【図８】
2006292320.tif 000010
【図９】
2006292320.tif 000011
【図１０】
2006292320.tif 000012
【図１１】
2006292320.tif 000013
【図１２】
2006292320.tif 000014
【図１３】
2006292320.tif 000015